(57)【要約】【課題】入力輪の逆転を防止するために間欠係合式の逆回転防止手段を使用した場合に、計測用爪車に衝撃荷重がかかることを防止する。【解決手段】入力輪３に設けた送り爪１４を入力輪３の半径方向外方に向けて付勢して計測用爪車１５との当接により起伏自在に構成し、入力輪３が動力蓄積用弾性体を蓄力する方向Ｘに回転するときには、この送り爪１４は起立して上記計測用爪車１５を刻み送りするのに対し、入力輪３がその逆方向Ｙに回転するときには、この送り爪１４は計測用爪車１５との当接により倒伏するように構成する。【選択図】　図２
2004108284.tif 000002
【特許請求の範囲】
【請求項１】
リコイルリール（１）に、入力側一方向回転伝動手段（２）・入力輪（３）・動力蓄積用弾性体（４）・出力輪（５）・出力側一方向回転伝動手段（６）を順に介して、エンジンの始動軸（７）を連動連結し、
上記入力輪（３）は、固定部（９）に枢支されるとともに、間欠係合式逆回転防止手段（８）によりその逆転が防止されるように構成し、
上記出力輪（５）の回転を阻止するロック機構（１０）と、
動力蓄積用弾性体（４）の巻き取り回数を計測する弾性体巻き取り回数計測手段（１１）と、
動力蓄積用弾性体（４）の巻き取り回数が目標巻き取り回数に達したときに、上記弾性体巻き取り回数計測手段（１１）がこれを検出することに基づいて、上記ロック機構（１０）を解除するロック解除手段（１２）と、
を設けたエンジンのリコイルスタータにおいて、
上記弾性体巻き取り回数計測手段（１１）は、入力輪（３）に設けた送り爪（１４）と、この送り爪（１４）によって刻み送りされる計測用爪車（１５）とを備え、
上記送り爪（１４）を入力輪（３）の半径方向外方に向けて付勢して計測用爪車（１５）との当接により起伏自在に構成し、入力輪（３）が動力蓄積用弾性体（４）を蓄力する方向（Ｘ）に回転するときには、この送り爪（１４）は起立して上記計測用爪車（１５）を刻み送りするのに対し、入力輪（３）がその逆方向（Ｙ）に回転するときには、この送り爪（１４）は計測用爪車（１５）との当接により倒伏するように構成した、
ことを特徴とするエンジンのリコイルスタータ。
【請求項２】
請求項１に記載のエンジンのリコイルスタータにおいて、
前記ロック機構（１０）は、出力輪（５）に設けられた駆動停止部（２０）と、この駆動停止部（２０）に係脱自在な駆動停止操作手段（２１）とを備え、この駆動停止操作手段（２１）をロック位置とロック解除位置とに切換可能に構成し、上記駆動停止操作手段（２１）がロック位置にあるときには駆動停止部（２０）と係合して出力輪（５）の回転を阻止するのに対し、上記駆動停止操作手段（２１）がロック解除位置にあるときには駆動停止部（２０）を解放して出力輪（５）の回転を自由にするように構成し、
前記ロック解除手段（１２）は、動力蓄積用弾性体（４）の巻き取り回数が目標巻き取り回数に達したときに、前記弾性体巻き取り回数計測手段（１１）がこれを検出することに基づいて、上記駆動停止操作手段（２１）をロック位置からロック解除位置に切り換えるように構成した、
ことを特徴とするエンジンのリコイルスタータ。
【請求項３】
請求項１または２に記載のエンジンのリコイルスタータにおいて、
前記計測用爪車（１５）は、入力輪（３）が動力蓄積用弾性体（４）を蓄力する方向（Ｘ）に回転するときにはこれに従動して刻み送りされるが、入力輪（３）がその逆方向（Ｙ）に回転するときには従動を阻止されるように構成した、
ことを特徴とするエンジンのリコイルスタータ。
【請求項４】
請求項１から３のいずれかに記載のエンジンのリコイルスタータにおいて、
前記間欠係合式逆回転防止手段（８）は、前記固定部（９）に設けられた逆止用爪車（２４）と、入力輪（３）に設けられた複数の逆止用爪（２５）とを備え、
これら複数の逆止用爪（２５）の逆止用爪車（２４）に対する係合位相を相互にずらした、
ことを特徴とするエンジンのリコイルスタータ。
【発明の詳細な説明】
【０００１】
【発明の属する技術分野】
本発明は、エンジンのリコイルスタータに関する。
【０００２】
【従来の技術】
本発明の従来技術として、例えば、特許文献１に記載されたものがある。これは次のように構成されている。
リコイルリールに、入力側一方向回転伝動手段・入力輪・動力蓄積用うず巻きばね・出力輪・出力側一方向回転伝動手段を順に介して、エンジンの始動軸を連動連結する。
上記入力輪は、固定部に枢支されるとともに、間欠係合式逆回転防止手段によりその逆転が防止されるように構成する。
そして、このリコイルスタータには、上記出力輪の回転を阻止するロック機構と、動力蓄積用うず巻きばねの巻き取り回数を計測するばね巻き取り回数計測手段と、動力蓄積用うず巻きばねの巻き取り回数が目標巻き取り回数に達したときに、上記ロック機構を解除するロック解除手段とが設けられている。
【０００３】
この特許文献１に記載の間欠係合式逆回転防止手段は、同文献の図２に示すように、入力輪に設けられた外側爪車と、固定側に設けられたストッパ爪とからなり、外側爪車とストッパ爪とが係合することによって入力輪の逆転を阻止するようになっている。
【０００４】
かかる間欠係合式逆回転防止手段は、市販のほぼ任意位置での位置保持が可能なワンウェイクラッチに比べて安価であるため、たとえば特願２００２−７８１６３に記載されたリコイルスタータにおいて、そこで用いられているワンウェイクラッチに代えて使用すれば、リコイルスタータの製造コストを削減できるという利点がある。
【０００５】
【特許文献１】
実公平７−１７８１０号公報（２−３頁、第１図、第２図）
【０００６】
【発明が解決しようとする課題】
しかし、上記間欠係合式逆回転防止手段は、間欠係合式であるがゆえに入力輪の逆転を完全には防止することはできず、最大で３６０度÷（外側爪車の爪数）の角度だけ入力輪の逆転が起こり得る。
【０００７】
一方、特願２００２−７８１６３に記載されたリコイルスタータでは、計測用爪車は２つのラチェット爪によって逆転を阻止されるため、一方で動力蓄積用うず巻きばねの巻き取り回数をより正確に計測することができるが、他方で、このリコイルスタータに上記のような間欠係合式の逆回転防止手段を用いた場合には、次のような問題が生じる。
【０００８】
すなわち、オペレータが始動ロープの引き操作を途中で止めた場合等には、それまでに動力蓄積用うず巻きばねに蓄えられた蓄力によって入力輪が最大で上記角度だけ逆転し、入力輪に設けられた送り爪と、動力蓄積用うず巻きばねの巻き取り回数を計測する計測用爪車とが衝突し、それによって、動力蓄積用うず巻きばねのばね力がすべて計測用爪車に衝撃荷重としてかかる事態を招来し、送り爪と計測用爪車のいずれか一方またはその両方が破損するおそれがある。特に、特許文献１に記載の間欠係合式逆回転防止手段を例にとれば、外側爪車の爪数が少ないほど入力輪の逆転し得る角度が大きくなるため、破損の危険性はより大きいといえる。
【０００９】
かかる場合、上記のような間欠係合式の逆回転防止手段に代えて、市販のワンウェイクラッチを用いることもできるが、上述したように、ワンウェイクラッチは一般に高価なため、リコイルスタータの製造コスト増を招き、根本的な問題の解決とはいえない。
【００１０】
本発明は、かかる課題に鑑み、低コストの間欠係合式逆回転防止手段を使用しながら、しかも、上記のような問題が生じないリコイルスタータを提供することを目的とする。
【００１１】
【課題を解決するための手段】
かかる課題を解決するため、請求項１の発明は、図１から図６または図９に例示するように、以下のように構成したことを特徴とする。
すなわち、リコイルリール（１）に、入力側一方向回転伝動手段（２）・入力輪（３）・動力蓄積用弾性体（４）・出力輪（５）・出力側一方向回転伝動手段（６）を順に介して、エンジンの始動軸（７）を連動連結し、
上記入力輪（３）は、固定部（９）に枢支されるとともに、間欠係合式逆回転防止手段（８）によりその逆転が防止されるように構成し、
上記出力輪（５）の回転を阻止するロック機構（１０）と、
動力蓄積用弾性体（４）の巻き取り回数を計測する弾性体巻き取り回数計測手段（１１）と、
動力蓄積用弾性体（４）の巻き取り回数が目標巻き取り回数に達したときに、上記弾性体巻き取り回数計測手段（１１）がこれを検出することに基づいて、上記ロック機構（１０）を解除するロック解除手段（１２）と、
を設けたエンジンのリコイルスタータにおいて、
上記弾性体巻き取り回数計測手段（１１）は、入力輪（３）に設けた送り爪（１４）と、この送り爪（１４）によって刻み送りされる計測用爪車（１５）とを備え、
上記送り爪（１４）を入力輪（３）の半径方向外方に向けて付勢して計測用爪車（１５）との当接により起伏自在に構成し、入力輪（３）が動力蓄積用弾性体（４）を蓄力する方向（Ｘ）に回転するときには、この送り爪（１４）は起立して上記計測用爪車（１５）を刻み送りするのに対し、入力輪（３）がその逆方向（Ｙ）に回転するときには、この送り爪（１４）は計測用爪車（１５）との当接により倒伏するように構成した、ことを特徴とする。
ここで、本明細書にいう間欠係合式逆回転防止手段とは、入力輪（３）側に設けられた係合部（２５）と、固定部（９）側に設けられた被係合部（２４）とを備え、この両者（２５）・（２４）が係合することにより入力輪（３）の逆転を防止するものであって、係合部（２５）と被係合部（２４）の係合位置が離散的なものをいう。
【００１２】
請求項２の発明は、図１から図６または図９に例示するように、請求項１の発明において、以下のように構成したことを特徴とする。
すなわち、前記ロック機構（１０）は、出力輪（５）に設けられた駆動停止部（２０）と、この駆動停止部（２０）に係脱自在な駆動停止操作手段（２１）とを備え、この駆動停止操作手段（２１）をロック位置とロック解除位置とに切換可能に構成し、上記駆動停止操作手段（２１）がロック位置にあるときには駆動停止部（２０）と係合して出力輪（５）の回転を阻止するのに対し、上記駆動停止操作手段（２１）がロック解除位置にあるときには駆動停止部（２０）を解放して出力輪（５）の回転を自由にするように構成し、
前記ロック解除手段（１２）は、動力蓄積用弾性体（４）の巻き取り回数が目標巻き取り回数に達したときに、前記弾性体巻き取り回数計測手段（１１）がこれを検出することに基づいて、上記駆動停止操作手段（２１）をロック位置からロック解除位置に切り換えるように構成した、ことを特徴とする。
【００１３】
請求項３の発明は、図１から図６または図９に例示するように、請求項１または２の発明において、以下のように構成したことを特徴とする。
すなわち、前記計測用爪車（１５）は、入力輪（３）が動力蓄積用弾性体（４）を蓄力する方向（Ｘ）に回転するときにはこれに従動して刻み送りされるが、入力輪（３）がその逆方向（Ｙ）に回転するときには従動を阻止されるように構成した、ことを特徴とする。
【００１４】
請求項４の発明は、図９に例示するように、請求項１から３のいずれかの発明において、以下のように構成したことを特徴とする。
すなわち、前記間欠係合式逆回転防止手段（８）は、前記固定部（９）に設けられた逆止用爪車（２４）と、入力輪（３）に設けられた複数の逆止用爪（２５）とを備え、
これら複数の逆止用爪（２５）の逆止用爪車（２４）に対する係合位相を相互にずらした、ことを特徴とする。
【００１５】
【発明の作用効果】
（請求項１または２の各発明）
▲１▼オペレータが始動ロープ（３４）の引き操作を途中で止めた場合等において、それまでの引き操作で動力蓄積用弾性体（４）に蓄えられた蓄力によって入力輪（３）が勢いよく逆転し計測用爪車（１５）と衝突したとしても、送り爪（１４）は計測用爪車（１５）との当接により倒伏するように構成されているのでこれが緩衝作用を果たし、送り爪（１４）や計測用爪車（１５）の破損を回避できる。
【００１６】
▲２▼入力輪（３）の逆転が招く問題を解消できるので、低コストの間欠噛合式逆回転防止手段（８）を使用でき、ひいては、リコイルスタータの製造コストを削減できる。
【００１７】
（請求項３の発明）
▲３▼入力輪（３）が逆転するときには従動を阻止されるように計測用爪車（１５）が構成されている場合、入力輪（３）の逆転によって、入力輪（３）に設けられた送り爪（１４）と動力蓄積用弾性体（４）の巻き取り回数を計測する計測用爪車（１５）とが衝突し、動力蓄積用弾性体（４）の蓄力がすべて計測用爪車（１５）に荷重としてかかる可能性はより高くなり、したがって、かかる構成の下では、送り爪（１４）と計測用爪車（１５）のいずれか一方またはその両方が破損する危険性はより高くなる。
しかし、入力輪（３）が逆転したときには、送り爪（１４）は計測用爪車（１５）との当接により倒伏するように構成されているため、両者の衝突により動力蓄積用弾性体（４）の蓄力がすべて計測用爪車（１５）に負荷としてかかる事態を避けることができる。
【００１８】
▲４▼計測用爪車（１５）は、入力輪（３）が動力蓄積用弾性体（４）を蓄力する方向に回転するときにはこれに従動して刻み送りされる一方、入力輪（３）がその逆方向に回転するときには従動を阻止されるように構成されているため、動力蓄積用弾性体（４）の巻き取り回数を正確に計測することができる。
【００１９】
（請求項４の発明）
▲５▼上記請求項３の発明では、オペレータが始動ロープ（３４）の引き操作を途中で一旦止め、その後、その続きを引いた場合等には、次のような問題が生じ得る。すなわち、オペレータが始動ロープ（３４）の引き操作を途中で止めると、入力輪（３）は動力蓄積用弾性体（４）に蓄えられた蓄力の一部解放により一定角度逆転する。その際、送り爪（１４）は入力輪（３）とともに逆転するが、計測用爪車（１５）は従動を阻止されるためその位置に置き残される。この結果、送り爪（１４）が計測用爪車（１５）の爪一つ分逆戻りしてしまう場合があり得る。この入力輪（３）の逆転により動力蓄積用弾性体（４）の蓄力は一部解放されるが、計測用爪車（１５）は逆転前の位置に置き残されるため、次にオペレータが始動ロープ（３４）の続きを引いた場合、逆転による解放分を蓄力しているにもかかわらず、送り爪（１４）は計測用爪車（１５）を先送りしてしまう。つまり、動力蓄積用弾性体（４）の巻き取り回数が余分にカウントされることになる。この結果、動力蓄積用弾性体（４）の巻き取り回数が目標巻き取り回数に達したときには、予定量に足りない蓄力しかなされていないことが起こり得る。
【００２０】
しかし、請求項４の発明では、間欠係合式逆回転防止手段（８）が複数の逆止用爪（２５）を備え、これら複数の逆止用爪（２５）の逆止用爪車（２４）に対する係合位相を相互にずらしたので、入力輪（３）の逆転可能な最大角度が小さくなる。
【００２１】
この点を詳述すれば、前記従来技術では、前述のように、最大で３６０／ｎ度（ｎは外側爪車の爪数）だけ入力輪（３）の逆転が起こり得る。
しかし、逆止用爪（２５）を複数個設け、しかも、これら複数の逆止用爪（２５）の逆止用爪車（２４）に対する係合位相を相互にずらした場合には、例えば図９に示すように、例えばその位相差をθ（０＜θ＜３６０／ｎ）とすると、入力輪（３）の逆転可能な最大角度はおよそ（３６０／ｎ）−θまたはθのいずれか大きい方となり、従来技術の場合よりも小さくなる。このため、依然入力輪（３）の逆転は起こり得るも、動力蓄積用弾性体（４）の巻き取り回数が余分にカウントされる確率を小さくすることができ、ひいては、蓄力不足が生じる確率を小さくすることができる。
【００２２】
【発明の実施の形態】
以下、図面に基づいて本発明の実施形態について説明する。図１は本発明の第１実施形態の縦断正面図、図２（Ａ）は図１のＩＩ−ＩＩ線矢視断面図、図２（Ｂ）は図２（Ａ）におけるＢ−Ｂ線矢視断面図、図３は図１のＩＩＩ−ＩＩＩ線矢視断面図である。また、図４は図３から駆動停止操作手段２１を取り除いた図、図５は図４から第２のラチェット爪５２を取り除いた図、図６は図３のＶＩ−ＶＩ線矢視断面図である。なお、本明細書では、図１の紙面に向かって右方を前方、左方を後方と定める。
【００２３】
図１において、符号７は強制空冷式４サイクルガソリンエンジンのクランク軸、符号３１はフライホイルファンである。このクランク軸７の一端にスタータプーリ３２が設けられる。このスタータプーリ３２はクランク軸７に固定され、クランク軸７と一体に回転する。
【００２４】
本発明の第１実施形態たるリコイルスタータは、上記クランク軸７の一端側に設けられるスタータケース３３を有する。このスタータケース３３は、その内部に、上記クランク軸７と同軸上に配置される固定部９を有する。
【００２５】
この固定部９に、前方から順に、リコイルリール１と入力輪３と出力輪５とがそれぞれ回転自在に外嵌される。このうち、リコイルリール１には始動ロープ３４が巻回される。そして、リコイルリール１とスタータケース３３との間にはリール巻き戻し用うず巻きばね３５が設けられ、始動ロープ３４を引っ張ったときに、このリール巻き戻し用うず巻きばね３５により始動ロープ３４がリコイルリール１に巻き戻されるように構成されている。なお、本明細書では、図２に示すように、始動ロープ３４の引き操作によりリコイルリール１が回転する方向Ｘを正回転方向（正転方向）とする。
【００２６】
リコイルリール１と入力輪３との間には、図２に示すように、入力側一方向回転伝動手段２が介装されている。この入力側一方向回転伝動手段２は、リコイルリール１の後端面（入力輪側端面）に設けられた爪３８と、入力輪３の前端面（リコイルリール側端面）の周縁に設けられた突合縁３９とを備える。この爪３８は図示しないばねにより外方に向けて付勢され、始動ロープ３４の引き操作時には、この爪３８と突合縁３９とが突合してリコイルリール１の回転は入力輪３に伝達されるが、始動ロープ３４の巻き戻し作動時には、上記の爪３８と突合縁３９との突合が解け、リコイルリール１の回転が入力輪３に伝達されないようになっている。
【００２７】
上記入力輪３は、また、図２に示すように、間欠係合式逆回転防止手段８により逆転が防止されるようになっている。本実施形態における間欠係合式逆回転防止手段８は、固定部９側に設けられた逆止用爪車２４と、入力輪３側に設けられた逆止用爪２５とを備える。上記逆止用爪車２４は、固定部９に回転不能に外嵌されるとともに、その中心部から外方に向けて４つの逆止用係合部４１を延出している。各逆止用係合部４１は略９０度の間隔を置いて十字状に配設されている。各逆止用係合部４１は、図２（Ｂ）に示すように、略三角形断面を有し、入力輪３が正転するときに（すなわちＸ方向回転時に）逆止用爪２５を逃すための傾斜をつけた逃し面４１ａと、入力輪３が逆転するときに（すなわちＹ方向回転時に）逆止用爪２５と係合する係合面４１ｂとを備える。逆止用爪車２４は、リコイルリール１の後端面と入力輪３の前端面との間の空間に収容される。一方、逆止用爪２５は、入力輪３の前端面から出没自在に構成され、入力輪３とともに回転するようになっている。本実施形態では、逆止用爪２５は２つ設けられている。各逆止用爪２５は、入力輪３の回転中心を間に挟んで点対称な位置に配置されている。
【００２８】
このような構成の結果、逆止用爪２５は、入力輪３がＸ方向へ正転しようとするときには、上記の逃し面４１ａによって入力輪３内に退入するため、入力輪３の正転を可能にするが、入力輪３がＹ方向へ逆転しようとするときには、突出状態を保ったまま逆止用係合部４１の係合面４１ｂと係合して入力輪３の逆転を阻止する。但し、各逆止用係合部４１が９０度の間隔を置いて配置されているためと、逆止用爪２５が入力輪３の回転中心に対して点対称な位置に配置されているために、逆止用爪２５が係合面４１ｂと係合するまでには、入力輪３は最大で約９０度逆転し得る。なお、本実施形態では、寸法公差等を除けば、一方の逆止用爪２５が係合面４１ｂに係合しているときには他方の逆止用爪２５も他の係合面４１ｂに係合するようになっている。つまり、本実施形態では、各逆止用爪２５の逆止用爪車２４に対する係合位相は一致している。
【００２９】
この第１実施形態の動力蓄積用弾性体４はうず巻きばねとして構成される。この動力蓄積用うず巻きばね４は、入力輪３と出力輪５の間の空間に収容され、その外端部は入力輪３に固定され、その内端部は出力輪５に固定される。
【００３０】
出力輪５とクランク軸７との間には、出力側一方向回転伝動手段６が介装されている。この出力側一方向回転伝動手段６は、出力輪５の回転をクランク軸７に伝達するもので、図１と図３とに示すように、遠心式クラッチ機構として構成されている。すなわち、前記クランク軸７と一体回転するスタータプーリ３２に、ばね４３で内方に付勢された遠心爪４４が枢支され、一方、出力輪５の後端面に、この遠心爪４４と係合可能な爪受部５ａが設けられる。そして、クランク軸７の回転速度が所定速度に達するまでは、遠心爪４４と爪受部５ａとは係合状態にあるが、クランク軸７の回転が所定速度以上になったときには、遠心爪４４はクランク軸７の回転による遠心力で外方に揺動し、遠心爪４４と爪受部５ａとの係合は解除されるようになっている。
【００３１】
本実施形態に係るリコイルスタータには、出力輪５の回転を阻止するロック機構１０が設けられている。このロック機構１０は、出力輪５に設けられた駆動停止部２０と、この駆動停止部２０に係脱自在な駆動停止操作手段２１とを備える。上記駆動停止部２０は、出力輪５の後端面に設けられた凸部として構成される。この凸部は、出力輪５の後端面の周縁に等間隔で設けられる。図３から５に示すように、本実施形態では、駆動停止部２０は６個設けられている。
【００３２】
一方、駆動停止操作手段２１は、スタータケース３３に固定された第１の枢支軸４７に揺動自在に枢支される。駆動停止操作手段２１は、ロック位置とロック解除位置とに切換可能に構成され、上記駆動停止操作手段２１がロック位置にあるときには駆動停止部２０と係合して出力輪５の回転を阻止するのに対し、上記駆動停止操作手段２１がロック解除位置にあるときには駆動停止部２０を解放して出力輪５の回転を自由にするように構成される。第１の枢支軸４７はスタータケース３３内でその前後方向に架設されている。
【００３３】
上記駆動停止操作手段２１は、ロック位置付勢手段４８によってロック位置方向に付勢されている。本実施形態におけるロック位置付勢手段４８は引っ張りばねによって構成され、この引っ張りばね４８は、その一端がスタータケース３３側に係止され、その他端が駆動停止操作手段２１に係止される。
【００３４】
この駆動停止操作手段２１は、腕部２１ａを備える。この腕部２１ａは、後述の第２の枢支軸５７に向けて延出され、駆動停止操作手段２１が揺動したときに、第２の枢支軸５７に懸架するようになっている。この腕部２１ａは、第２の枢支軸５７に懸架することにより駆動停止操作手段２１のロック位置方向への一定以上の揺動を規制する。
【００３５】
この駆動停止操作手段２１の腕部２１ａには受動部２１ｂが下方に向けて垂設されている。駆動停止操作手段２１は、この受動部２１ｂにおいて後述のロック解除手段１２と当接し、その駆動を受けるようになっている。
【００３６】
このリコイルスタータは、動力蓄積用うず巻きばね４の巻き取り回数を計測するばね巻き取り回数計測手段１１を備える。このばね巻き取り回数計測手段１１は、入力輪３に設けた送り爪１４と、この送り爪１４によって刻み送りされる計測用爪車１５と、この計測用爪車１５と一体回転する残置用爪車５０と、この残置用爪車５０に係止する第１のラチェット爪５１および第２のラチェット爪５２と、を備える。
【００３７】
このうち、入力輪３に設けられる送り爪１４は次のように構成される。すなわち、図７と図８とに示すように、この送り爪１４は、入力輪３の外周面に設けられた凹部に収容され、起伏自在に枢支されるとともに、ねじりばね５５によって入力輪３の半径方向外方に向けて付勢される。そして、入力輪３が動力蓄積用うず巻きばね４を蓄力する方向Ｘに回転するとき（すなわち、入力輪３の正転時）には、この送り爪１４は起立して後述の計測用爪車１５を刻み送りするのに対し、入力輪３がその逆方向Ｙに回転するときには、この送り爪１４は計測用爪車１５との当接により倒伏するように構成される。
【００３８】
上記計測用爪車１５と残置用爪車５０は、スタータケース３３に固定された第２の枢支軸５７に回転自在に枢支され、一体に回転するように構成される。この第２の枢支軸５７は、スタータケース３３内でその前後方向に架設され、前記第１の枢支軸４７と略平行になるようにしてある。
【００３９】
本実施形態では、図２に示すように、２つの送り爪１４が入力輪３の外周面に設けられているため、入力輪３の１回転により計測用爪車１５は爪２つ分刻み送りされる。
【００４０】
上記残置用爪車５０には、ロック解除手段１２が設けられている。このロック解除手段１２は、動力蓄積用うず巻きばね４の巻き取り回数が目標巻き取り回数に達したときに、前記ロック機構１０を解除するようになっている。すなわち、このロック解除手段１２は残置用爪車５０（および計測用爪車１５）と一体に回動し、計測用爪車１５が送り爪１４によって刻み送りされて目標巻き取り回数に達したときに、前記駆動停止操作手段２１に設けられた受動部２１ｂに当接してこれを駆動し、駆動停止操作手段２１をロック位置からロック解除位置に切り換えるようになっている。なお、本実施形態では、このロック解除手段１２を残置用爪車５０に植設したピンとして構成してあるが、残置用爪車５０と一体に形成してもよい。また、計測用爪車１５にロック解除手段１２を設けてもよい。
【００４１】
第１のラチェット爪５１と第２のラチェット爪５２は、前記第１の枢支軸４７に枢支され、リコイルスタータの前方から第１のラチェット爪５１・第２のラチェット爪５２・駆動停止操作手段２１の順に並設されている。このうち、第１のラチェット爪５１は、引っ張りばね６１によって前記残置用爪車５０に係止する方向に付勢されている。この引っ張りばね６１は、一端が第１のラチェット爪５１に係止され、他端がスタータケース３３側に係止されている。
【００４２】
一方、第２のラチェット爪５２は、引っ張りばね６２によって残置用爪車５０に係止する方向に付勢されている。この引っ張りばね６２は、一端が第２のラチェット爪５２に係止され、他端が前記駆動停止操作手段２１に係止されている（図３・図４参照）。この第２のラチェット爪５２には、また、入力部５２ａが設けられ、この入力部５２ａは、駆動停止操作手段２１に設けられた切り欠き部２１ｃとの係合により駆動停止操作手段２１の揺動を第２のラチェット爪５２に伝達するようになっている。すなわち、前記ロック解除手段１２が駆動停止操作手段２１の受動部２１ｂに当接しこれを押動することにより駆動停止操作手段２１をロック位置からロック解除位置に切り換えたときに、この駆動停止操作手段２１の揺動は上記切り欠き部２１ｃと入力部５２ａとの係合を介して第２のラチェット爪５２に伝達され、第２のラチェット爪５２を揺動起立させることにより第２のラチェット爪５２と残置用爪車５０との係止を解除する。また、駆動停止操作手段２１がロック解除位置にある場合には、第２のラチェット爪５２も入力部５２ａと切り欠き部２１ｃとの係合を介して残置用爪車５０との係止を解除する係止解除姿勢を維持する。他方、駆動停止操作手段２１がロック解除位置からロック位置に切り換えられたときには、第２のラチェット爪５２も入力部５２ａを介してこれに連動し残置用爪車５０に係止するようになっている。
【００４３】
本実施形態のリコイルスタータには、リコイルリール１が始動ロープ３４を巻き戻す方向に回転することに基づいて、弾性体巻き取り回数計測手段１１が計測した動力蓄積用弾性体４の巻き取り回数の計数値をリセットする計測リセット手段が設けられている。この計測リセット手段は、前記計測用爪車１５を初期位置に付勢する初期位置付勢手段７１と、リコイルリール１に設けられたリセット用主動部７２と、前記第１のラチェット爪５１に設けられたリセット用従動部７３と、を備える。
【００４４】
このうち、初期位置付勢手段７１は、図１と図６とに示すように、第２の枢支軸５７に巻回された第１のねじりばねとして構成され、この第１のねじりばねの一端はスタータケース３３側に固定され、その他端は計測用爪車１５に固定される。この初期位置付勢手段７１は、前記第１のラチェット爪５１と第２のラチェット爪５２の両方が残置用爪車５０との係止を解除されたときに、計測用爪車１５を初期位置に回動復帰させる。なお、図３から５に示すように、スタータケース３３に設けられたブラケット７６によって、上記初期位置付勢手段７１による計測用爪車１５の一定以上の回動復帰は規制されており、このブラケット７６と計測用爪車１５とが当接する位置を計測用爪車１５の初期位置と定める（図３から図５参照）。
【００４５】
上記リセット用主動部７２は、リコイルリール１の後端面の周縁に等間隔に突設された凸部として構成される。一方、リセット用従動部７３は、一端が第１のラチェット爪５１に係止された第２のねじりばね７８の他端部として構成され、この他端部は解放端となっている。この第２のねじりばね７８は、前記第１の枢支軸４７に巻回されたうえ、リセット用従動部７３として機能するその解放端を下方に延出して、リコイルリール１の回転時にリセット用主動部７２と当接してその駆動を受けるようになっている。これにより、リコイルリール１の回転がリセット用主動部７２とリセット用従動部７３との当接を通じて第１のラチェット爪５１に伝達される。但し、リコイルリール１の正転時Ｘには、リセット用主動部７２がリセット用従動部７３と当接してこれを駆動しても、この駆動力は第２のねじりばね７８を介して第１のラチェット爪５１を残置用爪車５０に係止させる方向に作用するため、第１のラチェット爪５１と残置用爪車５０との係止は維持されるが、リコイルリール１の逆転時Ｙ（リコイルリール１が始動ロープ３４を巻き戻す巻き戻し回転時）には、リセット用主動部７２がリセット用従動部７３を駆動することにより第１のラチェット爪５１を揺動起立させ、第１のラチェット爪５１と残置用爪車５０との係止が解除されるようになっている。
【００４６】
本発明の第１実施形態に係るリコイルスタータは次のように作動する。
いま、エンジンは停止しており、これからエンジンを始動させる場合を想定する（図３から図５参照）。動力蓄積用うず巻きばね４には何ら蓄力されておらず、始動ロープ３４はリコイルリール１に巻き取られているものとする。このとき、計測用爪車１５は初期位置にあり、駆動停止操作手段２１は駆動停止部２０に係合して出力輪５はロックされている。また、第１のラチェット爪５１と第２のラチェット爪５２は、それぞれ引っ張りばね６１と引っ張りばね６２の付勢力によって残置用爪車５０に係止しており、出力側一方向回転伝動手段６の遠心爪４４はばね４３により内方に付勢されて出力輪５の爪受部５ａと係合している。
【００４７】
この場合において、始動ロープ３４を引っ張ると、出力輪５はロックされているため、動力蓄積用うず巻きばね４への蓄力が開始される。すなわち、始動ロープ３４の引き操作により、リコイルリール１が正転方向Ｘへ回転し、このリコイルリール１の回転が入力側一方向回転伝動手段２を介して入力輪３を回転させる。一方、出力輪５はロックされているため、入力輪３が回転した分だけ上記動力蓄積用うず巻きばね４は巻き取られることになる。
【００４８】
このような入力輪３の回転は、送り爪１４によって計測用爪車１５に伝達され、この計測用爪車１５を刻み送りする。このとき、この計測用爪車１５と一体に回転する残置用爪車５０には第１のラチェット爪５１と第２のラチェット爪５２とが係止しているため、計測用爪車１５はその計数値に相当する各計数位置に置き残され、動力蓄積用うず巻きばね４の巻き取り回数を正確にカウントすることができる。
【００４９】
動力蓄積用うず巻きばね４の巻き取り回数が目標巻き取り回数に達すると、ロック解除手段１２が駆動停止操作手段２１の腕部２１ａに設けられた受動部２１ｂを押動し、駆動停止操作手段２１をロック位置からロック解除位置に切り換える。これにより出力輪５はその拘束を解かれることになり、動力蓄積用うず巻きばね４に蓄えられた蓄力が解放されて出力輪５が回転する。この出力輪５の回転は、出力側一方向回転伝動手段６によってクランク軸７に伝達され、エンジンを始動させることになる。
【００５０】
エンジンが始動しクランク軸７の回転速度が所定速度以上になると、クランク軸７と一体回転するスタータプーリ３２に設けられた遠心爪４４が遠心力により外方に揺動し、爪受部５ａとの係合が解除される。これによりクランク軸７と出力輪５との連繋は断たれる。
【００５１】
一方、上記駆動停止操作手段２１がロック位置からロック解除位置へと切り換えられることに連動して第２のラチェット爪５２が揺動起立し、第２のラチェット爪５２と残置用爪車５０との係止が解除される。
【００５２】
なお、始動ロープ３４の巻き戻し作動が開始していない状態では、ロック解除手段１２が受動部２１ｂを介して駆動停止操作手段２１を押し上げている状態にあるため、駆動停止操作手段２１はロック解除位置に保持され、また、第２のラチェット爪５２は残置用爪車５０との係止を解除された係止解除姿勢をとり続けることになる。
【００５３】
この状態から、次に、始動ロープ３４の巻き戻し作動が開始される。すなわち、リコイルリール１はリール巻き戻し用うず巻きばね３５により始動ロープ３４を巻き戻す方向Ｙに回転し始める。このリコイルリール１の逆転により、リセット用主動部７２がリセット用従動部７３を駆動し、この駆動力が第２のねじりばね７８を介して第１のラチェット爪５１に伝達され、これを揺動起立させて、第１のラチェット爪５１と残置用爪車５０との係止が解除される。
【００５４】
この結果、計測用爪車１５は、初期位置付勢手段７１の付勢力により初期位置に回動復帰する。これに連動して、ロック解除手段１２も回動して駆動停止操作手段２１から離れる。この結果、下からの支持を失った駆動停止操作手段２１は、ロック位置付勢手段たる引っ張りばね４８のばね力（および自重）によりロック位置に切り換えられる。また、これに連動して、第２のラチェット爪５２も残置用爪車５０に係止することになる。
【００５５】
このように、本実施形態では、計測リセット手段によって弾性体巻き取り回数計測手段１１の計数値がリセットされることに連動してロック機構１０が作動し、駆動停止操作手段２１をロック解除位置からロック位置に切り換えるようになっている。このため、出力輪５のロック解除だけでなくロック投入も自動的に行われユーザーの利便性が向上する。
【００５６】
なお、図３・図４・図６に示すように、第２の枢支軸５７には第３のねじりばね８０が巻回されている。この第３のねじりばね８０の一端は残置用爪車５０に係止され、その他端は解放端になっており、この解放端部は、計測用爪車１５が入力輪３の正転に従動して刻み送りされてゆく度に上昇して、駆動停止操作手段２１に下から当接する。そして、駆動停止操作手段２１がロック解除位置にあるときには、これを下から支持するようになっている。
【００５７】
この第３のねじりばね８０は、駆動停止操作手段２１がロック解除位置からロック位置へと切り換えられるときに、この切換動作に動作遅れを持たせるためのものである。すなわち、リコイルリール１の巻き戻し作動により第１のラチェット爪５１が揺動起立し、これにより計測用爪車１５は初期位置に回動復帰するが、この回動に連動して直ちに駆動停止操作手段２１がロック位置に切り換えられるとすると、出力輪５の回転が十分に停止していない状態で駆動停止操作手段２１がロック位置に切り換えられることも起こり得る。この結果、駆動停止操作手段２１と駆動停止部２０とが衝突して、騒音や破損の原因となる。そこで、この第３のねじりばね８０を設けることにより駆動停止操作手段２１のロック解除位置からロック位置への切り換えにタイムラグを持たせて、出力輪５の回転中に駆動停止操作手段２１がロック位置に切り換えられないようにしたものである。
【００５８】
次に、本発明の第２実施形態について説明する。図９は本発明の第２実施形態を示し、第１実施形態の図２に相当する図である。なお、第１実施形態と同一の部材・要素には同一の符合が付してある。また、第２実施形態の説明中、特に言及のない部分については第１実施形態と同様に構成されている。
【００５９】
第２実施形態のリコイルスタータは、間欠係合式逆回転防止手段８の構成において第１実施形態と相違する。すなわち、図９に示すように、第２実施形態のリコイルスタータの間欠係合式逆回転防止手段８では、逆止用爪２５ａ・２５ｂの逆止用爪車２４に対する係合位相を相互にずらしてある。具体的には、逆止用爪を２つ設け、そのうちの一方の逆止用爪２５ａの係合位相を、他方の逆止用爪２５ｂの係合位相に対して、入力輪３の逆転する方向Ｙにθだけ進ませてある。但し、０°＜θ＜９０°とする。
【００６０】
この結果、図２に示す第１実施形態では、最大で約９０度の入力輪３の逆転が生じるのに対して、図９に示す第２実施形態では、入力輪３の逆転可能な最大角度は約９０−θまたはθのいずれか大きい方となり、第１実施形態と比較して入力輪３が逆転し得る最大角度が小さくなる。例えば、上記各逆止用爪２５ａ・２５ｂの位相差が４５度の場合（θ＝４５°）、入力輪３の逆転可能な最大角度はほぼ４５度となる。
【００６１】
このため、依然入力輪３の逆転は起こり得るも、動力蓄積用うず巻きばね４の巻き取り回数が余分にカウントされる確率を小さくすることができ、ひいては、蓄力不足が生じる確率を小さくすることができる。
【００６２】
以上、本発明の実施形態について説明したが、本発明は上記各実施形態によって限定されるものではなく、発明の要旨の範囲内で適宜変更して実施することができる。例えば、間欠係合式逆回転防止手段は上記各実施形態のものに限られるものではなく、間欠係合式のものであれば他の構成を採用してもよい。上記各実施形態では、間欠係合式逆回転防止手段８の逆止用爪２５が２つの場合を説明したが、１つであってもよく、また、３つ以上であってもよい。上記各実施形態の間欠係合式逆回転防止手段８では、逆止用爪車２４に４つの逆止用係合部４１が設けられていたが、４つに限られるものではない。上記の各実施形態では、動力蓄積用弾性体４がうず巻きばねの場合について説明したが、蓄力可能な弾性体であればよく、例えばねじりばねであってもよい。上記各実施形態では、出力側一方向回転伝動手段６が遠心式クラッチ機構の場合について説明したが、これに限られず、他の形式のもの（例えば噛み合いクラッチ）であってもよい。上記の各実施形態では、計測用爪車１５を計数位置に置き残すために第１のラチェット爪５１と第２のラチェット爪５２とを設けたが、いずれか一方のラチェット爪で計測用爪車１５を置き残すようにしてもよい。また、本発明は、ラチェット機構により計測用爪車１５の逆転を阻止するように構成されたリコイルスタータ以外のリコイルスタータにも適用することができる。さらに、本発明は、出力輪５のロック解除後も始動ロープ３４を引くように構成されたリコイルスタータにも適用することができる。かかるリコイルスタータは、動力蓄積用弾性体４の巻き取り回数が目標巻き取り回数に達するまでは、始動ロープ３４の引力は動力蓄積用弾性体４に蓄えられるが、動力蓄積用弾性体４の巻き取り回数が目標巻き取り回数に達して出力輪５のロックが解除された後は、動力蓄積用弾性体４に蓄えられた蓄力と始動ロープ３４の引き力との合力により始動軸７を回転させるものである。
【図面の簡単な説明】
【図１】本発明の第１実施形態の縦断正面図である。
【図２】図２（Ａ）は図１のＩＩ−ＩＩ線矢視断面図、図２（Ｂ）は図２（Ａ）におけるＢ−Ｂ線矢視断面図である。
【図３】図１のＩＩＩ−ＩＩＩ線矢視断面図である。
【図４】図３から駆動停止操作手段２１を取り除いた図である。
【図５】図４から第２のラチェット爪５２を取り除いた図である。
【図６】図３のＶＩ−ＶＩ線矢視断面図である。
【図７】図７（Ａ）は入力輪３の正面図、図７（Ｂ）は図７（Ａ）におけるＢ−Ｂ線矢視断面図である。
【図８】図８（Ａ）は、ばね巻き取り回数計測手段１１をエンジン側から見た図である（但し、駆動停止操作手段２１と第１のラチェット爪５１は省略してある）。図８（Ｂ）は図８（Ａ）の要部を示し、送り爪１４の動きを示す図である。
【図９】本発明の第２実施形態を示し、第１実施形態の図２に相当する図である。
【符号の説明】
１…リコイルリール、２…入力側一方向回転伝動手段、３…入力輪、４…動力蓄積用弾性体（うず巻きばね）、５…出力輪、６…出力側一方向回転伝動手段、７…始動軸（クランク軸）、８…間欠係合式逆回転防止手段、９…固定部、１０…ロック機構、１１…弾性体巻き取り回数計測手段（ばね巻き取り回数計測手段）、１２…ロック解除手段、１４…送り爪、１５…計測用爪車、２０…駆動停止部、２１…駆動停止操作手段、２４…逆止用爪車、２５…逆止用爪。
【図１】
2004108284.tif 000003
【図２】
2004108284.tif 000004
【図３】
2004108284.tif 000005
【図４】
2004108284.tif 000006
【図５】
2004108284.tif 000007
【図６】
2004108284.tif 000008
【図７】
2004108284.tif 000009
【図８】
2004108284.tif 000010
【図９】
2004108284.tif 000011